(57)【要約】【課題】  再送信回数内に送信できなかった場合の次回の送信時に、ユーザに画像データの再読み込み作業や宛先ファクシミリ番号の入力作業を強いることのない高い操作性を備えたファクシミリ装置等を提供する。【解決手段】  所定回数の再送信処理によっても宛先端末へのファクシミリ送信が不可であった場合には、送信処理が中断され、画像データを消去するか保存するかの選択表示がなされる。ユーザが保存を選択した場合には、接続手段２０〜２２に接続された外部記憶装置３２０〜３２２に、画像データと宛先ファクシミリ番号情報が転送され、記憶される。また、これらのデータが記憶された外部記憶装置を接続手段に接続すると、ファクシミリ送信可能な画像データと宛先ファクシミリ番号情報が記憶されているか否かが判断され、記憶されている場合には、前記宛先への画像データの送信処理が実行される。【選択図】  図６
2006287805.tif 000002
【特許請求の範囲】
【請求項１】
宛先端末へのファクシミリ送信が不可であった場合、所定回数の再送信処理を行う再送信処理手段と、
所定回数の再送信処理によっても宛先端末へのファクシミリ送信が不可であった場合には、送信処理を中断する送信処理中断手段と、
外部記憶装置を接続するための接続手段と、
前記送信処理が中断された画像データを消去するか保存するかの選択表示を行う表示手段と、
保存が選択された場合には、前記接続手段に接続された外部記憶装置に、前記画像データと宛先ファクシミリ番号情報を転送する転送手段と、
前記接続手段に接続された外部記憶装置に、ファクシミリ送信可能な画像データと宛先ファクシミリ番号情報が記憶されているか否かを判断するデータ判断手段と、
ファクシミリ送信可能な画像データと宛先ファクシミリ番号情報が記憶されている場合には、前記宛先への前記画像データの送信処理を実行する送信制御手段と、
を備えたことを特徴とするファクシミリ装置。
【請求項２】
前記転送手段により画像データとともに外部記憶装置へ転送される宛先ファクシミリ番号情報に、市外局番が含まれているか否かを判断する市外局番判断手段と、
市外局番が含まれていない場合には、市外局番を前記宛先ファクシミリ番号情報に付加する市外局番付加手段とをさらに備え、
前記転送手段は、画像データと市外局番が付加された宛先ファクシミリ番号情報とを外部記憶装置に転送する請求項１に記載のファクシミリ装置。
【請求項３】
前記転送手段は、ファクシミリ送信時に付加される送信者名、送信元ファクシミリ番号、日付情報のうちの少なくとも１つを、前記画像データ及び宛先ファクシミリ番号情報とともに外部記憶装置に転送し、
前記データ判断手段は、送信者名、送信元ファクシミリ番号、日付情報のうちの少なくとも１つが外部記憶装置に記憶されているか否かをも判断し、
記憶されている場合には、前記送信制御手段は、その送信者名、送信元ファクシミリ番号、日付情報のうちの少なくとも１つを画像データに付加して送信処理を実行する請求項１または２に記載のファクシミリ装置。
【請求項４】
宛先端末へのファクシミリ送信が不可であった場合、所定回数の再送信処理を行うステップと、
所定回数の再送信処理によっても宛先端末へのファクシミリ送信が不可であった場合には、送信処理を中断するステップと、
前記送信処理が中断された画像データを消去するか保存するかの選択表示を行うステップと、
保存が選択された場合には、接続手段に接続された外部記憶装置に、前記画像データと宛先ファクシミリ番号情報を転送するステップと、
前記接続手段に接続された外部記憶装置に、ファクシミリ送信可能な画像データと宛先ファクシミリ番号情報が記憶されているか否かを判断するステップと、
ファクシミリ送信可能な画像データと宛先ファクシミリ番号情報が記憶されている場合には、前記宛先への前記画像データの送信処理を実行するステップと、
を含むことを特徴とするファクシミリ送信処理方法。
【請求項５】
前記画像データとともに外部記憶装置へ転送される宛先ファクシミリ番号情報に、市外局番が含まれているか否かを判断するステップと、
市外局番が含まれていない場合には、市外局番を前記宛先ファクシミリ番号情報に付加するステップとをさらに含み、
前記転送ステップでは、画像データと市外局番が付加された宛先ファクシミリ番号情報とを外部記憶装置に転送する請求項４に記載のファクシミリ送信処理方法。
【請求項６】
前記転送ステップでは、ファクシミリ送信時に付加される送信者名、送信元ファクシミリ番号、日付情報のうちの少なくとも１つを、前記画像データ及び宛先ファクシミリ番号情報とともに外部記憶装置に転送し、
前記データ判断ステップでは、送信者名、送信元ファクシミリ番号、日付情報のうちの少なくとも１つが外部記憶装置に記憶されているか否かをも判断し、
記憶されている場合には、前記画像データの送信処理ステップでは、その送信者名、送信元ファクシミリ番号、日付情報のうちの少なくとも１つを画像データに付加して送信処理を実行する請求項４または５に記載のファクシミリ送信処理方法。
【発明の詳細な説明】
【技術分野】
【０００１】
この発明は、画像データの送信が不可の場合に再送信を行う機能を備えたファクシミリ装置及びファクシミリ送信処理方法に関する。
【背景技術】
【０００２】
ファクシミリ装置には、例えば宛先話中等でファクシミリ送信が不可の場合に、スキャナにより読み取った画像データを内部メモリに記憶しておき、記憶した画像データを呼び出して再送信処理を行う機能を備えたものがある。
【０００３】
このようなファクシミリ装置では、ユーザが装置の操作パネルから所望の再送信回数を設定することにより、宛先端末に所定回数の再送信処理を行うものとなされている。従って、宛先端末がファクシミリ受信できない状態であっても、宛先端末番号の繰り返し入力作業や、その都度原稿をスキャナにより読み取らせる作業を回避することができる。
【０００４】
このような再送信機能を有する従来のファクシミリ装置は、再送設定回数内に画像データを送信できる場合は良いものの、再送設定回数内で送信できなかった場合には、メモリに記憶されている画像データを消去する構成となされていた（特許文献１）。
【特許文献１】特開平３−３６８７７号公報
【発明の開示】
【発明が解決しようとする課題】
【０００５】
しかしながら、メモリに記憶されている画像データを一旦消去すると、次回の送信時には再度スキャナによる画像データの読み込み作業や、宛先番号の入力作業が必要となり、ユーザに操作上の負担を強いるという欠点があった。
【０００６】
この発明は、このような欠点を解消するためになされたものであって、再送信回数内に送信できなかった場合の次回の送信時に、ユーザに画像データの再読み込み作業や宛先ファクシミリ番号の入力作業を強いることのない高い操作性を備えたファクシミリ装置、及びファクシミリ送信処理方法の提供を目的とする。
【課題を解決するための手段】
【０００７】
上記目的は、下記の手段によって達成される。
（１）宛先端末へのファクシミリ送信が不可であった場合、所定回数の再送信処理を行う再送信処理手段と、所定回数の再送信処理によっても宛先端末へのファクシミリ送信が不可であった場合には、送信処理を中断する送信処理中断手段と、外部記憶装置を接続するための接続手段と、前記送信処理が中断された画像データを消去するか保存するかの選択表示を行う表示手段と、保存が選択された場合には、前記接続手段に接続された外部記憶装置に、前記画像データと宛先ファクシミリ番号情報を転送する転送手段と、前記接続手段に接続された外部記憶装置に、ファクシミリ送信可能な画像データと宛先ファクシミリ番号情報が記憶されているか否かを判断するデータ判断手段と、ファクシミリ送信可能な画像データと宛先ファクシミリ番号情報が記憶されている場合には、前記宛先への前記画像データの送信処理を実行する送信制御手段と、を備えたことを特徴とするファクシミリ装置。
（２）前記転送手段により画像データとともに外部記憶装置へ転送される宛先ファクシミリ番号情報に、市外局番が含まれているか否かを判断する市外局番判断手段と、市外局番が含まれていない場合には、市外局番を前記宛先ファクシミリ番号情報に付加する市外局番付加手段とをさらに備え、前記転送手段は、画像データと市外局番が付加された宛先ファクシミリ番号情報とを外部記憶装置に転送する前項１に記載のファクシミリ装置。
（３）前記転送手段は、ファクシミリ送信時に付加される送信者名、送信元ファクシミリ番号、日付情報のうちの少なくとも１つを、前記画像データ及び宛先ファクシミリ番号情報とともに外部記憶装置に転送し、前記データ判断手段は、送信者名、送信元ファクシミリ番号、日付情報のうちの少なくとも１つが外部記憶装置に記憶されているか否かをも判断し、記憶されている場合には、前記送信制御手段は、その送信者名、送信元ファクシミリ番号、日付情報のうちの少なくとも１つを画像データに付加して送信処理を実行する前項１または２に記載のファクシミリ装置。
（４）宛先端末へのファクシミリ送信が不可であった場合、所定回数の再送信処理を行うステップと、所定回数の再送信処理によっても宛先端末へのファクシミリ送信が不可であった場合には、送信処理を中断するステップと、前記送信処理が中断された画像データを消去するか保存するかの選択表示を行うステップと、保存が選択された場合には、接続手段に接続された外部記憶装置に、前記画像データと宛先ファクシミリ番号情報を転送するステップと、前記接続手段に接続された外部記憶装置に、ファクシミリ送信可能な画像データと宛先ファクシミリ番号情報が記憶されているか否かを判断するステップと、ファクシミリ送信可能な画像データと宛先ファクシミリ番号情報が記憶されている場合には、前記宛先への前記画像データの送信処理を実行するステップと、を含むことを特徴とするファクシミリ送信処理方法。
（５）前記画像データとともに外部記憶装置へ転送される宛先ファクシミリ番号情報に、市外局番が含まれているか否かを判断するステップと、市外局番が含まれていない場合には、市外局番を前記宛先ファクシミリ番号情報に付加するステップとをさらに含み、前記転送ステップでは、画像データと市外局番が付加された宛先ファクシミリ番号情報とを外部記憶装置に転送する前項４に記載のファクシミリ送信処理方法。
（６）前記転送ステップでは、ファクシミリ送信時に付加される送信者名、送信元ファクシミリ番号、日付情報のうちの少なくとも１つを、前記画像データ及び宛先ファクシミリ番号情報とともに外部記憶装置に転送し、前記データ判断ステップでは、送信者名、送信元ファクシミリ番号、日付情報のうちの少なくとも１つが外部記憶装置に記憶されているか否かをも判断し、記憶されている場合には、前記画像データの送信処理ステップでは、その送信者名、送信元ファクシミリ番号、日付情報のうちの少なくとも１つを画像データに付加して送信処理を実行する前項４または５に記載のファクシミリ送信処理方法。
【発明の効果】
【０００８】
前項（１）に記載の発明によれば、所定回数の再送信処理によっても宛先端末へのファクシミリ送信が不可であった場合には、送信処理が中断され、画像データを消去するか保存するかの選択表示がなされる。ユーザが保存を選択した場合には、接続手段に接続された外部記憶装置に、画像データと宛先ファクシミリ番号情報が転送され、記憶される。また、これらのデータが記憶された外部記憶装置を接続手段に接続すると、ファクシミリ送信可能な画像データと宛先ファクシミリ番号情報が記憶されているか否かが判断され、記憶されている場合には、前記宛先への画像データの送信処理が実行される。
【０００９】
このように、再送信回数内に送信できなかった場合には、画像データと宛先ファクシミリ番号情報を外部記憶装置に記憶させ、次回の送信時には、この外部記憶装置に記憶されている画像データと宛先ファクシミリ番号情報を利用して、宛先端末に自動的に画像データを送信することができるから、ユーザは画像データの再読み込み作業や宛先ファクシミリ番号の入力作業は不要となり、高い操作性を実現することができる。
【００１０】
前項（２）に記載の発明によれば、外部記憶装置へ転送される宛先ファクシミリ番号情報に市外局番が含まれていなかった場合には、市外局番が付加された状態で宛先ファクシミリ番号情報が外部記憶装置に転送され、記憶されるから、再送信処理を行うファクシミリ装置がどこの地域に存在していても、所望の宛先に画像データを確実に送信することができる。従って、ユーザの市外局番の入力作業を不要にでき、さらに操作性が良くなる。
【００１１】
前項（３）に記載の発明によれば、ファクシミリ送信時に付加される送信者名、送信元ファクシミリ番号、日付情報のうちの少なくとも１つが、前記画像データ及び宛先ファクシミリ番号情報とともに外部記憶装置に記憶され、再送信時には、この記憶された送信者名、送信元ファクシミリ番号、日付情報のうちの少なくとも１つが画像データに付加されて送信処理が実行される。このため、再送信処理を行うファクシミリ装置が、送信しようとした元のファクシミリ装置と異なる場合であっても、外部記憶装置に記憶された元の装置についての設定情報である送信者名、送信元ファクシミリ番号、日付情報を付加して画像データを送信することができ、送信者名、送信元ファクシミリ番号、日付情報を設定し直す必要はなくなり、さらに操作性が良くなる。
【００１２】
前項（４）に記載の発明によれば、再送信回数内に送信できなかった場合には、画像データと宛先ファクシミリ番号情報を外部記憶装置に記憶させ、次回の送信時には、この外部記憶装置に記憶されている画像データと宛先ファクシミリ番号情報を利用して、宛先端末に自動的に画像データを送信することができるから、ユーザは画像データの再読み込み作業や宛先ファクシミリ番号の入力作業は不要となり、高い操作性を実現することができる。
【００１３】
前項（５）に記載の発明によれば、再送信処理を行うファクシミリ装置がどこの地域に存在していても、所望の宛先に画像データを確実に送信することができ、ユーザの市外局番の入力作業を不要にでき、さらに操作性が良くなる。
【００１４】
前項（６）に記載の発明によれば、再送信処理を行うファクシミリ装置が最初のファクシミリ装置と異なる場合であっても、外部記憶装置に記憶された送信者名、送信元ファクシミリ番号、日付情報を付加して画像データを送信することができ、送信者名、送信元ファクシミリ番号、日付情報を設定し直す必要はなくなり、さらに操作性が良くなる。
【発明を実施するための最良の形態】
【００１５】
以下、この発明の一実施形態を図面に基づいて説明する。
〔ＭＦＰ全体構成〕
図１は、この発明の一実施形態に係るファクシミリ装置としてのＭＦＰを示す斜視図である。
【００１６】
図１において、ＭＦＰ１は、コピー機能、プリント機能、ファクシミリ機能、スキャナ機能等を有するデジタル複合機であり、ネットワークＮＷ（図２）を介してユーザ端末等との間でデータの送受信が可能である。なお、以下の説明において、ファクシミリをＦＡＸともいう。
【００１７】
ＭＦＰ１は、複数（この実施形態では３個）のＵＳＢ（Universal Serial Bus）規格の外部機器を着脱可能な接続手段としての第１〜第３の３個の差込口２０，２１，２２を有しており、この差込口２０，２１，２２にＵＳＢインターフェイスを有する外部機器、例えば外部記憶装置であるＵＳＢメモリ３２０，３２１，３２２（図３）を接続することにより、外部機器とＭＦＰ１の間で、双方のデータ送受信が可能となされている。以下、差込口２０，２１，２２をＵＳＢ差込口という。
【００１８】
ＭＦＰ１は操作パネル１０を備えており、この操作パネル１０は、複数のキー１１ａと、当該キー１１ａに対するユーザの操作による各種の指示や、文字、数字などのデータの入力を受付ける操作部１１と、ユーザに対する指示メニューや取得した画像に関する情報などの表示を行なう液晶等からなるディスプレイ１２を有している。
【００１９】
また、ＭＦＰ１は、原稿を光学的に読取って画像データを得るスキャナ部１３と、画像データに基づいて記録シート上に画像を印刷するプリンタ部１４とを備えている。
【００２０】
またＭＦＰ１の本体上面には、原稿をスキャナ部１３に送るフィーダ部１７が、下部にはプリンタ部１４に記録シートを供給する給紙部１８が、中央部にはプリンタ部１４によって画像を印刷された記録シートが排出されるトレイ１９がそれぞれ配備されている。さらにＭＦＰ１の本体の内部には、ネットワークＮＷを介して外部機器との間で画像データなどの送受信を行なう通信部１６、および画像データなどを記憶するメモリ３１３などが備えられている。
【００２１】
なお、ＭＦＰ１は、ネットワーク・インターフェイスを有し、前記通信部１６は外部機器との間で各種データの送受信が可能なように、前記ネットワーク・インターフェイスを介してネットワークＮＷに接続されている。
【００２２】
前記ディスプレイ１２は、データ送信の宛先の一覧表示や、送信データをＵＳＢメモリ３２０〜３２２に記憶させるか否かの選択表示（後述）を含む種々の表示に使用される。また、前記操作部１１は、ユーザによる送信先の選択を含む種々の入力に用いられるものである。これらがユーザインターフェイスの要部として機能する。
【００２３】
前記スキャナ部１３は、写真、文字、絵などの画像情報を原稿から光電的に読取って画像データを取得する。取得された画像データ（濃度データ）は、図示しない画像処理部においてデジタルデータに変換され、周知の各種画像処理を施された後、プリンタ部１４や通信部１６に送られ、画像の印刷やデータの送信に供されるか、または、後の利用のためにメモリ３１３に格納される。
【００２４】
前記プリンタ部１４は、スキャナ部１３により取得された画像データ、通信部１６により外部機器から受信した画像データ、またはメモリ３１３に格納されている画像データに基づいて記録シート上に画像を印刷するものである。
【００２５】
前記通信部１６は、公衆電話回線を介してＦＡＸデータの送受信を行なう他、ＬＡＮ、インターネットなどのネットワークＮＷを介して、該ネットワークＮＷに接続される外部機器との間で電子メールなどを用いてデータの送受信を行なう。
【００２６】
これにより、ＭＦＰ１は、通常のＦＡＸ通信を行なうＦＡＸ装置としての機能のみならず、電子メールの送受信端末としての機能も有する。したがって、電子メールの添付ファイルとして、各種画像データを送受信することもできる。なお、ＭＦＰ１が行なうネットワーク通信は有線でもよく無線でもよいが、図示の例では有線による通信方式が採用されている。
〔ネットワークの概要〕
図２はＭＦＰ１のネットワーク接続例を示すものである。
【００２７】
図２において、ネットワークＮＷは、ジョブとしての印字処理を要求する複数台の外部機器（端末）としてのパーソナルコンピュータ（以下ＰＣともいう）２（２Ａ，２Ｂ・・・）と、  このジョブを実行する複数台のＭＦＰ１（１Ａ，１Ｂ，１Ｃ・・・）によって構成されている。ここで、各ＭＦＰ１は、マルチジョブ機能を有するものとする。
【００２８】
マルチジョブ機能とは、デジタル化された画像データを用いて画像形成を行うデジタル複写機やプリンタ等の画像形成装置において、イメージリーダ等を用いて読み取った画像データをデジタル処理して画像形成に用いるものや、画像形成装置に接続された前記ＰＣ２等の外部端末から送信されてきた画像データを用いて画像形成を行うことができる機能である。また、画像形成を行いながら画像データの取得を行うことができる機能もマルチジョブ機能の一環である。
【００２９】
マルチジョブ機能を備える画像形成装置では、イメージリーダにより読み取られた一塊の原稿から得られた画像データを用いた画像形成や、ＰＣから送信された画像データを用いた画像形成を、それぞれ一つのジョブとして取り扱い、ジョブ単位で順次画像形成を行っていく。
【００３０】
すなわち、原稿を読み取って得た画像データや、ＰＣから送信された画像データは、それぞれのジョブの識別子（以下、「ジョブＩＤ」という。）と対応付けられて画像メモリに蓄積される一方、ジョブＩＤはそれぞれのジョブが画像形成装置に対して発行された順に所定の管理テーブルに登録されることになる。そして、テーブルに登録されたジョブＩＤの順に画像形成が行われる。
［ＭＦＰ１の電気的構成］
図３は、ＭＦＰ１の電気的構成を示すブロック図である。
【００３１】
図３において、このＭＦＰ１は、情報処理部３０１、ＦＡＸ部３０２、通信制御部３０３、給紙手段３０４、前記スキャナ部１３を構成する画像読み取り部３０５、前記プリンタ部１４を構成する画像形成手段３０６、およびフィニッシャ部３０７を有している。前記ＦＡＸ部３０２，通信制御部３０３が通信部１６を構成する。
【００３２】
情報処理部３０１は、データ入出力手段３０８、データ通信制御部３０９、操作部１１、制御装置３１１、メモリ３１３およびディスプレイ１２等を有している。情報処理部３０１では画像メモリ３１３ａに格納されたジョブの削除、出力等の制御が行えるようになっている。
【００３３】
前記制御装置３１１は、ＣＰＵ３１１１、ＲＡＭ３１１２、画像データ書き込み部３１１３、画像データ読み込み部３１１４等を有している。この制御装置３１１には、データ入出力手段３０８が接続され、ジョブを入出力する際に使用される。
【００３４】
前記ＣＰＵ３１１１は、画像データのファクシミリ送信及び受信の実行、スキャナ部１３やプリンタ部１４の駆動、ディスプレイ１２の表示制御、等の装置全体の制御を行うものであり、ＦＡＸ機能がリダイヤル待機状態になったときに経過時間を測定するタイマ３１１１ａと、リダイヤルの実行回数を計数するカウンタ３１１１ｂを有している。
【００３５】
さらに、ＣＰＵ３１１１は、この実施形態では以下の機能を有している。すなわち、ＵＳＢメモリ３２０（３２１）（３２２）がＵＳＢ差込口２０（２１）（２２）に接続されている（装着されている）ことを検知する機能や、後述するように、ファクシミリ送信に際してユーザが入力した宛先番号情報に市外局番が含まれているか否かを判断したり、前記ＵＳＢ差込口２０（２１）（２２）にＵＳＢメモリ３２０（３２１）（３２２）が接続されたときに、ＵＳＢメモリ３２０（３２１）（３２２）内に、ファクシミリ送信可能な画像データと宛先ファクシミリ番号情報が記憶されているか否かを判断する機能等を有している。
【００３６】
ＣＰＵ３１１１の上述したような制御及び機能は、図示しないプログラム格納部に格納されたプログラムを実行することにより発揮される。
【００３７】
前記ＲＡＭ３１１２は、ＣＰＵ３１１１が動作する際の作業領域として機能する。
【００３８】
前記データ入出力手段３０８には、ＴＣＰ／ＩＰベースのネットワークのＬＡＮ（Local Aria Network)端子３１５、ＵＳＢ端子３１６、セントロニクス端子３１７、シリアルインタフェイス端子３１８および／またはＪＴＡＧ端子３１９等のインタフェイス（Ｉ／Ｆ）端子が複数設けられている。
【００３９】
前記データ入出力手段３０８では、ネットワーク端子３１５、ＵＳＢ端子３１６、セントロニクス端子３１７、シリアルインタフェイス端子３１８またはＵＴＡＧ端子３１９に接続された場合、制御装置３１１によりデータの読み出し、書き込み、削除ができるようになっている。
【００４０】
前記メモリ３１３は、プリンタ部１４で用紙に印字するために展開された受信画像データを記憶しておくビットマップメモリ３１３ａと、送信のためにスキャナ部１３で読み取った画像データを画像メモリ３１３ｂに伝達するためのバッファメモリ３１３ｃと、バッファメモリ３１３ｃから伝達された送信／受信の各画像データを、何れも圧縮して記憶しておく画像メモリ３１３ｂとによって構成されている。メモリ３１３においては、メモリ間でのコピーが可能である。
【００４１】
この実施形態では、前述したように、ＵＳＢ端子３１６として複数の差込口があり、それぞれにＵＳＢメモリ３２０，３２１，３２２を接続可能である。さらに、制御装置３１１はこれら複数のＵＳＢメモリ３２０，３２１，３２２に対する各記憶情報の読み込み、および各ＵＳＢメモリ３２０，３２１，３２２に対する情報の書き込みが同時に実行可能である。記憶情報の読み込みは制御装置３１１のデータ読み込み部３１１４により行われ、情報の書き込みはデータ書き込み部３１１３により行われる。
【００４２】
ＦＡＸ部３０２は、画像データのファクシミリ送信及び受信を行うものである。
【００４３】
通信制御部３０３は、交換器の起動、修復手段、呼び出し信号の検出手段、相手先からの信号に基づいて送信が可能であるか否かを判別する判別手段等を有するものであり、ＦＡＸ部３０２の機能を動作させるために必要な構成部材である。
〔操作パネル〕
図４は、ＭＦＰ１における操作パネル１０の構成を示す平面図である。
【００４４】
図４において、スタートキー２０１は、コピー／プリント／ＦＡＸ送信／電子メール、ＦＴＰ送信等の動作を開始させるために用いられる。テンキー２０２は、コピー枚数等の数値を入力するために用いられる。クリアキー２０３は、入力された数値のクリア、および蓄積された画像記憶部の画像データを破棄するために用いられる。
【００４５】
ストップキー２０４は、コピー／スキャン動作の停止を指示するために用いられる。パネルリセットキー２０５は、設定されている操作モードおよびジョブを破棄するために用いられる。
【００４６】
また、ディスプレイ１２は、設定された回数の再送信処理を行っても、宛先端末へのファクシミリ送信ができなかった場合に、ＵＳＢ差込口２０（２１）（２２）に接続されたＵＳＢメモリ３２０（３２１）（３２２）へ、送信できなかった画像データ等を転送して記憶させるか、消去するかをユーザに選択させるための選択表示やその他の表示を行い、表面にはタッチパネル２０６が取り付けられている。このタッチパネル２０６によって、ユーザはディスプレイ１２内の表示内容に従った各種設定や選択を行うことができる。
【００４７】
前記タッチパネル２０６における設定画面領域２０７には、通常は、コピー動作やファックス送信動作を実行する際に行う基本的／応用的な設定のためのボタンが配置されている。各ボタンを挿下すると、その詳細設定を行うための階層画面が表示される。ファクシミリ送信が不可であった場合の再送信処理回数の設定も、このタッチパネル２０６の表示に従って予め設定しておく。
【００４８】
タッチパネル２０６のジョブ情報画面領域２０８は、その時点でＭＦＰ１に投入されているジョブ情報が表示される。表示は、実行されるべきジョブの順序で並んでいる。特定のジョブに対して消去や変更等の操作を行う場合は、ジョブ操作ボタン２０９を選択した後、操作対象となるジョブ番号ボタンを押下する。それらの操作によってジョブ操作画面が表示され、特定のジョブに対する操作が可能となる。
【００４９】
コピーキー２１０、およびスキャンキー２１１はＭＦＰ１をコピー／スキャナの何れの操作モードで動作させるかを設定するための選択キーである。
【００５０】
コピーキー２１０を押下した場合、ＭＦＰ１はコピー機として使用可能となる。この状態では、スキャナ動作、およびファックス送信動作を実行することはできない。
【００５１】
この時、タッチパネル２０６の設定画面領域２０７には、コピー動作に対する各種設定を行うためのコピーモード表示が行われる。諸設定を終了後、原稿をセットしてスタートキー２０１を押下することにより、コピー動作が開始される。またスキャンキー２１１を押下した場合、ＭＦＰ１はスキャナ、およびＦＡＸとなる。この状態では、コピー動作を実行することはできない。
【００５２】
この時、タッチパネル２０６の設定画面領域２０７には、スキャン動作（スキャンした原稿の送信も含む）／ファックス送信に対する各種設定を行うための操作モード表示が行われる。諸設定を終了後、原稿をセットしてスタートキー２０１を押下することにより、スキャン動作／ファックス送信動作が開始される。
【００５３】
なお、コピーキー２１０とスキャンキー２１１は排他的動作となり、一方を選択すると自動的に他方は非選択状態となる。
【００５４】
また、ＰＣ２からＭＦＰ１を使用してプリントする場合、ＰＣ２にこのプリンタ制御用ドライバソフトをインストールし、プリントの際の各種設定はそのドライバ画面にて行う。従って、ＭＦＰ１の操作パネル１０上にプリント用設定画面、およびプリント切り換えキーは不要である。
【００５５】
図５は、ファクシミリの送信時に、宛先端末の状態により、設定された回数分再送信処理を行っても送信ができなかった場合に、操作パネル１０のディスプレイ１２に表示された、画像データ等をＵＳＢメモリ３２０，３２１，３２２に保存するか否かをユーザに選択させるための選択画面である。
【００５６】
この画面において、ユーザは「はい」ボタン２１５か「いいえ」ボタン２１６のいずれかを押すことができ、「はい」ボタン２１５を押すと、送信できなかった画像データ等がＵＳＢ差込口２０（２１）（２２）に接続されたＵＳＢメモリ３２０（３２１）（３２２）に記憶保存される。一方、「いいえ」ボタン２１６を押すと、画像データは消去される。
［ＦＡＸ送信処理］
図６は、図１のＭＦＰ１において、スキャナ部１３で読み取った画像データを所定の宛先にファクシミリ送信する場合に、ＣＰＵ３１１１が実行する処理を説明するためのフローチャートである。
【００５７】
ユーザが操作パネル１０のテンキー２０２により宛先ＦＡＸ番号を入力すると、これを受け付け（ステップＳ１０１）、ユーザが原稿をフィーダ部１７にセットしてＦＡＸスタートボタン２０１を押すと、これを受け付ける（ステップＳ１０２）。そして、スキャナ部１３により原稿を読み取ったのち（ステップＳ１０３）、読み取ったデータを宛先端末に送信する（ステップＳ１０４）。
【００５８】
このとき、宛先端末の状態により、データを送信できる場合とできない場合とがあるため、送信できたか否かを判断する（ステップＳ１０５）。送信できた場合には（ステップＳ１０５でＹＥＳ）、ＭＦＰ１の画像メモリ３１３ｂに記憶されているデータを消去したのち（ステップＳ１１４）、終了する。
【００５９】
送信できなかった場合には（ステップＳ１０５でＮＯ）、設定された回数だけ再送信処理が行われる（ステップＳ１０６）。
【００６０】
もし設定回数の再送信処理を行っても送信できない場合には、ＵＳＢ差込口２０（２１）（２２）に接続されたＵＳＢメモリ３２０（３２１）（３２２）にデータ等を保存することが可能である。
【００６１】
具体的には、ＵＳＢ差込口２０（２１）（２２）にＵＳＢメモリ３２０（３２１）（３２２）が接続されているか否かを判断する（ステップＳ１０７）。未接続の場合は（ステップＳ１０７でＮＯ）、画像メモリ３１３ｂ内の画像データを消去して（ステップＳ１１４）、終了となる。接続されている場合には（ステップＳ１０７でＹＥＳ）、ディスプレイ１２に、図５に示すような「ＵＳＢメモリにデータ保存しますか」という保存確認メッセージを表示させ（ステップＳ１０８）、ユーザに選択させる。
【００６２】
ステップＳ１０９では、ユーザが「はい」ボタン２１５か「いいえ」ボタン２１６の何れを選択したかを判断し、「いいえ」ボタン２１６が押された場合には（ステップＳ１０９でＮＯ）、画像データを消去する（ステップＳ１１４）。一方、ユーザにより「はい」ボタン２１５が押され、ＵＳＢメモリ３２０（３２１）（３２２）にデータを保存することが選択された場合には（ステップＳ１０９でＹＥＳ）、ユーザが入力した宛先番号情報（ステップＳ１０１）に市外局番が含まれているか否かを判断する（ステップＳ１１０）。市外局番が含まれている場合は（ステップＳ１１０でＹＥＳ）、画像データ及び宛先ＦＡＸ番号情報をＵＳＢメモリ３２０（３２１）（３２２）に保存し（ステップＳ１１２）、同時に送信者名／送信元ＦＡＸ番号／日付情報もＵＳＢメモリ３２０〜３２２に保存したのち（ステップＳ１１３）、画像メモリ内の画像データを消去する（ステップＳ１１４）。
【００６３】
ステップＳ１１０において、宛先ＦＡＸ番号情報に市外局番が含まれていない場合には、宛先端末も市内であると判断できることから、ＵＳＢメモリ３２０（３２１）（３２２）に保存する際、宛先ＦＡＸ番号情報にＭＦＰ１が設置されている市外局番を付加して（ステップＳ１１１）、画像データ及び宛先ＦＡＸ番号情報をＵＳＢメモリ３２０〜３２２に保存する（ステップＳ１１２）。
【００６４】
このように、宛先ＦＡＸ番号情報に市外局番が含まれていない場合には、宛先ＦＡＸ番号情報にＭＦＰ１が設置されている市外局番を付加するから、このＭＦＰ１が設置されている地域以外のファクシミリ装置から再送信する場合であっても、ユーザによる市外局番の入力を要することなく、容易に宛先端末に送信が可能となる。
【００６５】
図７は、上記のようにして画像データや宛先ＦＡＸ番号情報等を保存したＵＳＢメモリ３２０（３２１）（３２２）を、ＵＳＢ差込口２０（２１）（２２）に接続したときに、ＣＰＵ３１１１が実行する自動送信処理を示すフローチャートである。
【００６６】
ＵＳＢメモリ３２０（３２１）（３２２）をＵＳＢ差込口２０（２１）（２２）に接続すると、ＣＰＵ３１１１は接続を検知し（ステップＳ２０１）、ＵＳＢメモリ３２０（３２１）（３２２）に送信対象の画像データ、宛先ＦＡＸ番号情報及び送信者名／送信元ＦＡＸ番号／日付情報が記憶されているか否かを判断する（ステップＳ２０２）。
【００６７】
記憶されていなければ（ステップＳ２０２でＮＯ）、そのまま終了する。記憶されていれば（ステップＳ２０２でＹＥＳ）、ＭＦＰ１のメモリ３１３に、ＵＳＢメモリ内の画像データ／宛先ＦＡＸ番号情報／送信者名／送信元ＦＡＸ番号／日付情報を読み込む（ステップＳ２０３）。
【００６８】
次いで、読み込んだ送信者名／送信元ＦＡＸ番号／日付情報を、画像データに付加したのち（ステップＳ２０４）、読み込んだ宛先ＦＡＸ番号に画像データを送信する（ステップＳ２０５）。
【００６９】
このとき、前述したように、宛先ＦＡＸ番号には市外局番が必ず付加されているため、ＵＳＢメモリを接続したファクシミリ装置の設置場所が、画像データ等を保存したＭＦＰ１の設置場所と異なった地域であっても、ユーザが新たに市外局番を入力することなく自動でＦＡＸ送信が行われる。
【００７０】
また、画像データに付加された送信者名／送信元ＦＡＸ番号／日付情報は、画像データがＵＳＢメモリに保存される際にＭＦＰ１に設定されてある情報であり、保存処理を行った前記ＭＦＰ１以外のファクシミリ装置で送信した場合であっても、前記最初のＭＦＰ１で送信しようとした場合と同じ送信者名／送信元ＦＡＸ番号／日付情報を宛先端末に送信して、受信側の出力データに印刷することができ、使い勝手の良いものとなる。
【００７１】
以上、この発明の一実施の形態を説明したが、本発明は上記実施形態に限定されることはない。例えば、ファクシミリ装置として多機能複合機を例示したが、単独機能のファクシミリ装置であっても良く、ファクシミリ機能を有する装置に広く適用可能である。
【００７２】
また、送信者名／送信元ＦＡＸ番号／日付情報をすべて保存し、送信時にすべて付加するものとしたが、これらの情報を保存、付加しなくても良いし、あるいは保存、付加する場合に送信者名／送信元ＦＡＸ番号／日付情報の少なくとも一つを保存、付加する構成としても良い。
【００７３】
また、上記実施形態では、外部記憶装置３２０〜３２２としてＵＳＢメモリを例にして説明したが、可搬性ハードディスク装置、光ディスク、メモリカード等の外部記憶装置についても適用可能である。
【図面の簡単な説明】
【００７４】
【図１】この発明の一実施形態に係るファクシミリ装置が適用されたＭＦＰの外観斜視図である。
【図２】同じくＭＦＰのネットワーク環境を示すブロック図である。
【図３】同じくＭＦＰの電気的構成を示すブロック図である。
【図４】操作パネルの表示画面の説明図である。
【図５】送信対象の画像データを外部記憶装置に保存するか否かをユーザに選択させるための選択画面である。
【図６】スキャナ部で読み取った画像データを所定の宛先にファクシミリ送信する場合の処理を示すフローチャートである。
【図７】外部記憶装置をファクシミリ装置に接続したときの自動送信処理を示すフローチャートである。
【符号の説明】
【００７５】
１０              操作パネル
１２              ディスプレイ（表示手段）
２０〜２２        ＵＳＢ差込口（接続手段）
３１１            制御装置
３１１１          ＣＰＵ
３１１３          データ読み込み部
３１１４          データ書き込み部
３１３            メモリ
３２０〜３２２    ＵＳＢメモリ（外部記憶装置）
３０２            ＦＡＸ部
【図１】
2006287805.tif 000003
【図２】
2006287805.tif 000004
【図３】
2006287805.tif 000005
【図４】
2006287805.tif 000006
【図５】
2006287805.tif 000007
【図６】
2006287805.tif 000008
【図７】
2006287805.tif 000009